(57)【要約】【課題】専用論理チャンネルを介して受信されたデータが共用伝送チャンネルを介して伝送される時、使用者装置識別情報として使用される使用者装置の識別子設定方法を提供しようとする。【解決手段】複数のプロトコル階層を有する無線通信システムにおいて、無線資源管理（ＲＲＣ）階層から無線リンク制御（ＲＬＣ）階層にデータ及び使用者装置の識別子指示子に関連するメッセージタイプ指示子を提供する工程と、受信されたメッセージタイプ指示子によって使用者装置の識別子指示子をＲＬＣ階層で設定する工程と、ＭＡＣ階層で、使用者装置の識別子指示子によって使用者装置の識別子タイプ及び使用者装置の識別子を該ＭＡＣ階層のデータユニットのヘッダーに貼付する工程と、を順次行う。【選択図】図１
2008312241.tif 000002
【特許請求の範囲】
【請求項１】
ＲＲＣ階層とＲＬＣ階層とＭＡＣ階層とを備える複数のプロトコル階層を有する無線通信システム内でＵＥを識別する方法であって、
該ＭＡＣ階層により使用者装置の識別子タイプ指示子（ＵＥ−ＩＤタイプ指示子）を受信することであって、該ＵＥ−ＩＤタイプ指示子は、該ＲＬＣ階層を介して該ＭＡＣ階層に伝送されるＲＲＣメッセージのタイプに依存する、ことと、
該ＭＡＣ階層により、該ＵＥを識別する受信されたＵＥ−ＩＤタイプ指示子に基づいて、ＭＡＣデータパケットのヘッダーに使用者装置の識別子タイプ（ＵＥ−ＩＤタイプ）および使用者装置の識別子（ＵＥ−ＩＤ）を含めることと
を包含する、方法。
【請求項２】
前記ＭＡＣデータパケットは、ＭＡＣサービスデータユニット（ＳＤＵ）である、請求項１に記載の方法。
【請求項３】
ＭＡＣ  プロトコルデータユニット（ＰＤＵ）は、前記ＭＡＣ  ＳＤＵと、前記使用者装置の識別子（ＵＥ−ＩＤ）と、前記使用者装置の識別子タイプとを含む、請求項２に記載の方法。
【請求項４】
前記使用者装置の識別子タイプ指示子は、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）とＵ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｔｙ）とのうちの少なくとも１つに関連する、請求項１に記載の方法。
【請求項５】
前記ＭＡＣ階層は、前記ＭＡＣ  ＳＤＵと、ＲＮＴＩ（Ｒａｄｉｏ  Ｎｅｔｗｏｒｋ  Ｔｅｍｐｏｒａｒｙ  Ｉｄｅｎｔｉｔｙ）に関連する使用者装置のタイプを指示する前記使用者装置の識別子タイプ指示子とを受信し、前記使用者装置の識別子タイプおよび前記使用者装置の識別子をＭＡＣ  ＰＤＵヘッダーの一部として設定する、請求項２に記載の方法。
【請求項６】
前記使用者装置の識別子タイプ指示子は、無線通信網において使用される前記使用者装置の識別子タイプが変更されたときに、前記ＲＲＣ階層の制御情報によって動的に更新される、請求項１に記載の方法。
【請求項７】
前記使用者装置の識別子タイプ指示子は、メッセージタイプ指示子である、請求項１に記載の方法。
【請求項８】
前記ＵＥ−ＩＤタイプ指示子は、上位階層から伝送される、請求項１に記載の方法。
【請求項９】
前記ＵＥ−ＩＤタイプ指示子は、前記ＲＬＣ階層を介して前記ＭＡＣ階層に伝送される前記ＲＲＣメッセージのタイプに基づいて認識される、請求項１に記載の方法。
【請求項１０】
ＲＲＣ階層とＲＬＣ階層とＭＡＣ階層とを備える複数のプロトコル階層を有する無線通信システム内でＵＥを識別するシステムであって、
使用者装置の識別子タイプ指示子（ＵＥ−ＩＤタイプ指示子）を受信する該ＭＡＣ階層内の手段であって、該ＵＥ−ＩＤタイプ指示子は、該ＲＬＣ階層を介して該ＭＡＣ階層に伝送されるＲＲＣメッセージのタイプに依存する、手段と、
該ＵＥを識別する受信されたＵＥ−ＩＤタイプ指示子に基づいて、ＭＡＣデータパケットのヘッダーに使用者装置の識別子タイプ（ＵＥ−ＩＤタイプ）および使用者装置の識別子（ＵＥ−ＩＤ）を含める該ＭＡＣ階層内の手段と
を備える、システム。
【請求項１１】
前記ＭＡＣデータパケットは、ＭＡＣサービスデータユニット（ＳＤＵ）である、請求項１０に記載のシステム。
【請求項１２】
ＭＡＣ  プロトコルデータユニット（ＰＤＵ）は、ＭＡＣ  ＳＤＵと、前記使用者装置の識別子（ＵＥ−ＩＤ）と、前記使用者装置の識別子タイプとを含む、請求項１０に記載のシステム。
【請求項１３】
前記使用者装置の識別子タイプ指示子は、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）とＵ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｔｙ）とのうちの少なくとも１つに関連する、請求項１０に記載のシステム。
【請求項１４】
前記ＭＡＣ階層は、前記ＭＡＣ  ＳＤＵと、ＲＮＴＩ（Ｒａｄｉｏ  Ｎｅｔｗｏｒｋ  Ｔｅｍｐｏｒａｒｙ  Ｉｄｅｎｔｉｔｙ）に関連する使用者装置のタイプを指示する前記使用者装置の識別子タイプ指示子とを受信し、前記使用者装置の識別子タイプおよび前記使用者装置の識別子をＭＡＣ  ＰＤＵヘッダーの一部として設定する、請求項１１に記載のシステム。
【請求項１５】
前記使用者装置の識別子タイプ指示子は、無線通信網において使用される前記使用者装置の識別子タイプが変更されたときに、前記ＲＲＣ階層の制御情報によって動的に更新される、請求項１０に記載のシステム。
【請求項１６】
前記使用者装置の識別子タイプ指示子は、メッセージタイプ指示子である、請求項１０に記載のシステム。
【発明の詳細な説明】
【技術分野】
【０００１】
本発明は、専用論理チャンネルを介して受信されたデータが共用伝送チャンネルを介して伝送される時、移動通信システムにおける端末識別情報として端末（使用者装置）の識別子を設定する方法に係るもので、詳しくは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ヨーロッパ型ＩＭＴ−２０００無線通信システム）における使用者装置の識別子を設定するための方法に関するものである。
【０００２】
使用者装置の識別情報としての役割を遂行するデータ（Ｌｉｎｋ  Ｃｏｎｔｒｏｌ  Ｓｅｒｖｉｃｅ  Ｄａｔａ  Ｕｎｉｔ、以下、“ＲＬＣ  ＳＤＵ”と略称す）及びメッセージタイプ指示子（ｉｎｄｉｃａｔｏｒ）は、ＲＲＣ（Ｒａｄｉｏ  Ｒｅｓｏｕｒｃｅ  Ｃｏｎｔｒｏｌ）階層からＲＬＣ（Ｒａｄｉｏ  Ｌｉｎｋ  Ｃｏｎｔｒｏｌ）階層に伝送され、前記ＲＬＣ階層は、伝送されたメッセージタイプ指示子によって使用者装置の識別子指示子を設定した後、データと一緒にＭＡＣ（Ｍｅｄｉｕｎ  Ａｃｃｅｓｓ  Ｃｏｎｔｒｏｌ）階層に伝送し、該ＭＡＣ階層は、受信されたデータに適切な使用者装置識別情報を付着する。
【背景技術】
【０００３】
ＧＳＭ核心網、Ｗ−ＣＤＭＡ無線接続網及びシステム用使用者装置の仕様に基づいて発展した第３世代移動通信システム（ＩＭＴ−２０００）の細部規格を作成するために、ヨーロッパのＥＴＳＩ、日本のＡＲＩＢ／ＴＴＣ、米国のＴ１及び大韓民国のＴＴＡを含む各標準開発機構（Ｓｔａｎｄａｒｄ  Ｄｅｖｅｌｏｐｉｎｇ  Ｏｒｇａｎｉｚａｔｉｏｎｓ、以下“ＳＤＯ”と略称す）は、第３世代共同プロジェクト（Ｔｈｉｒｄ  Ｇｅｎｅｒａｔｉｏｎ  Ｐａｒｔｎｅｒｓｈｉｐ  Ｐｒｏｊｅｃｔ、以下“３ＧＰＰ”と略称す）という単一化された標準開発機構を設立した。前記３ＧＰＰは、無線網を介して音声、映像及びデータを包括する高性能マルチメディアサービスを提供する第３世代移動通信システム（ＩＭＴ−２０００）を開発している。
【０００４】
そして、前記３ＧＰＰには効率的な管理及び技術開発のために５個の技術規格グループ（Ｔｅｃｈｎｉｃａｌ  Ｓｐｅｃｉｆｉｃａｔｉｏｎ  Ｇｒｏｕｐ、以下、“ＴＳＧ”と略称す）が組織され、それらＴＳＧは夫々の分野（ｆｉｅｌｄ）に関連する標準規格の承認、開発及び管理を担当している。前記各グループ中、無線接続網（Ｒａｄｉｏ  Ａｃｃｅｓｓ  Ｎｅｔｗｏｒｋ：ＲＡＮ）グループ（以下、“ＴＳＧ−ＲＡＮ”と略称す）は、第３世代移動通信システムに新しい無線接続網規格を設定するために、使用者装置及びＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）に関連する機能、要求事項及びインターフェース規格を開発する。
【０００５】
前記ＴＳＧ−ＲＡＮグループは、一つの代表グループ（Ｐｌｅｎａｒｙ  ｇｒｏｕｐ）及び４個の運営グループ（Ｗｏｒｋｉｎｇ  Ｇｒｏｕｐ）により構成される。第１運営グループ（ＷＧ１）は物理階層（第１階層）に対する規格を開発し、第２運営グループ（ＷＧ２）はデータリンク階層（第２階層）及びネットワーク階層（第３階層）に対する規格を開発する。そして、第３運営グループ（ＷＧ３）は前記ＵＴＲＡＮと基地局、無線網制御機（Ｒａｄｉｏ  Ｎｅｔｗｏｒｋ
Ｃｏｎｔｒｏｌｌｅｒ：ＲＮＣ）及び核心網（Ｃｏｒｅ  Ｎｅｔｗｏｒｋ：ＣＮ）間のインターフェース規格を開発し、最後に第４運営グループ（ＷＧ４）は無線リンク性能、無線資源管理及び要求事項を議論する。
【０００６】
前記ＵＴＲＡＮ２０の構造においては、図３に示したように、ノードＢ及びＲＮＣにより構成される。前記ノードＢは前記ＲＮＣにより制御され、使用者装置からアップリンク（Ｕｐｌｉｎｋ）情報を受信し、ダウンリンク（Ｄｏｗｎｌｉｎｋ）情報を前記ＵＴＲＡＮ２０から物理階層を介して伝送することによって接続点としての役割を遂行する。
【０００７】
前記ＲＮＣは無線資源を割当して管理するもので、制御ＲＮＣ（Ｃｏｎｔｒｏｌ  ＲＮＣ：ＣＲＮＣ）と担当ＲＮＣ（Ｓｅｒｖｉｎｇ  ＲＮＣ：ＳＲＮＣ）と、に分類される。前記制御ＲＮＣは、前記ノードＢを直接管理し、共用無線資源（ｃｏｍｍｏｎ  ｒａｄｉｏ  ｒｅｓｏｕｒｃｅ）を管理し、前記担当ＲＮＣは、各使用者装置に割当された専用無線資源（ｄｅｄｉｃａｔｅｄ  ｒａｄｉｏ  ｒｅｓｏｕｒｃｅ）を管理する。
【０００８】
前記制御ＲＮＣ及び担当ＲＮＣは同様であることもあるが、使用者装置が前記担当ＲＮＣの領域から他のＲＮＣの領域に移動する場合は、前記制御ＲＮＣと担当ＲＮＣとは相違するようになり、このように前記制御ＲＮＣと担当ＲＮＣとが相違する時、使用者装置に伝送されるデータは、前記担当ＲＮＣを介して前記制御ＲＮＣに伝送された後、該当の制御ＲＮＣに接続された前記ノードＢを介して使用者装置に伝送される。
【０００９】
図３に示されたように、無線網副システム（Ｒａｄｉｏ  Ｎｅｔｗｏｒｋ  Ｓｕｂ−ｓｙｓｔｅｍ：ＲＮＳ）は、一つのＲＮＣ及び複数のノードＢにより構成される。この時、前記担当ＲＮＣが位置するＲＮＳを担当ＲＮＳという。
【００１０】
また、３ＧＰＰの無線網規格に基づいた一般の無線インターフェースプロトコル構造においては、図４に示したように、使用者装置とＵＴＲＡＮ間の無線インターフェースプロトコルは、水平的に物理階層（第１階層）と、データリンク階層（第２階層）と、ネットワーク階層（第３階層）と、に区分され、垂直的には制御信号を伝達するための制御平面（ｃｏｎｔｒｏｌ  Ｐｌａｎｅ）と、データ情報を伝達するための使用者平面（Ｕｓｅｒ  Ｐｌａｎｅ）と、に区分される。
【００１１】
垂直的区分に対して詳しく説明すると、前記制御平面は、無線資源制御（Ｒａｄｉｏ  Ｒｅｓｏｕｒｃｅ  Ｃｏｎｔｒｏｌ、以下、“ＲＲＣ”と略称す）階層、無線リンク制御（Ｒａｄｉｏ  Ｌｉｎｋ  Ｃｏｎｔｒｏｌ、以下、“ＲＬＣ”と略称す）階層、媒体接続制御（Ｍｅｄｉｕｍ  Ａｃｃｅｓｓ  Ｃｏｎｔｒｏｌ、以下、“ＭＡＣ”と略称す）階層及び第１階層として物理階層（Ｐｈｙｓｉｃａｌ  Ｌａｙｅｒ）を包含して構成され、また、前記使用者平面は、パケットデータ収斂プロトコル（Ｐａｃｋｅｔ  Ｄａｔａ  Ｃｏｎｖｅｒｇｅｎｃｅ  Ｐｒｏｔｏｃｏｌ、以下“ＰＤＣＰ”と略称す）階層、放送／マルチキャスト制御（Ｂｒｏａｄｃａｓｔ／Ｍｕｌｔｉｃａｓｔ  Ｃｏｎｔｒｏｌ、以下、“ＢＭＣ”と略称す）階層、ＲＬＣ階層、ＭＡＣ階層及び物理階層を包含して構成されている。
【００１２】
前記物理階層は、多様な無線伝送技術を利用して上位階層に情報伝送サービスを提供する。前記物理階層は伝送チャンネルを介して上位階層のＭＡＣ階層に接続され、前記伝送チャンネルを介してＭＡＣ階層と物理階層間のデータ伝送が行われる。前記伝送チャンネルは、一つの使用者装置が独占的に利用することができるか、または、複数の使用者装置が共有することができるか、によって専用伝送チャンネル（Ｄｅｄｉｃａｔｅｄ  Ｔｒａｎｓｐｏｒｔ  Ｃｈａｎｎｅｌ）と、共用伝送チャンネル（Ｃｏｍｍｏｎ  Ｔｒａｎｓｐｏｒｔ  Ｃｈａｎｎｅｌ）と、に区分される。
【００１３】
前記ＭＡＣ階層は、無線資源の割当及び再割当のためのＭＡＣパラメータ再割当サービスを提供する。前記ＭＡＣ階層は論理チャンネルを介して前記ＲＬＣ階層と接続され、伝送された情報タイプによって多様な論理チャンネルが提供される。一般に、制御平面上で情報が伝送される場合は制御チャンネルが使用され、使用者平面上で情報が伝送される場合はトラフィックチャンネルが使用される。
【００１４】
前記ＲＬＣ階層は、無線リンクを設定して解除する機能を行い、使用者平面の上位階層から伝達されたＲＬＣサービスデータユニット（Ｓｅｒｖｉｃｅ  Ｄａｔａ  Ｕｎｉｔ、以下、“ＳＤＵ”と略称す）の分割及び組立機能を行う。前記ＲＬＣ  ＳＤＵの大きさは処理容量に適合するようにＲＬＣ階層で調節され、大きさの調節された前記ＲＬＣ  ＳＤＵは、ヘッダーが付着されてプロトコルデータユニット（Ｐｒｏｔｏｃｏｌ  Ｄａｔａ  Ｕｎｉｔ、以下、“ＰＤＵ”と略称す）形態に前記ＭＡＣ階層に伝送される。
【００１５】
前記ＰＤＣＰ階層は前記ＲＬＣ階層の上位階層であるので、ＩＰｖ４またはＩｐｖ６のようなパケット網プロトコルのデータを前記ＲＬＣ階層に適合したフォーマットのデータに変換させる役割を行う。その他にも前記ＰＤＣＰ階層は、有線網で使用される不必要な制御情報を效率的に低減して、無線インターフェースを介してデータが伝送されるように下位階層を支援する。このような機能をヘッダー圧縮と言い、前記ヘッダー圧縮は、例えば、ＴＣＰ／ヘッダー情報を低減するために使用することができる。
【００１６】
前記ＢＭＣ階層は使用者平面に存在され、無線インターフェースを有するシステムに放送サービスまたはマルチキャストサービスを提供するために使用される。
【００１７】
前記ＲＲＣ階層は、所定領域に位置する全ての使用者装置に情報放送サービスを提供する。また、前記ＲＲＣ階層は、送信側と受信側の第３階層間で交換される制御信号のための制御平面信号処理を行い、使用者装置と前記ＵＴＲＡＮ間の無線資源を設定／維持／解除する機能を行う。特に、前記ＲＲＣ階層は、無線ベアラ（Ｒａｄｉｏ  Ｂｅａｒｅｒ）を設定／維持／解除する機能及び、無線接続網に必要な無線資源を割当／再構成／解除する機能を行う。ここで、前記無線ベアラは、使用者装置と前記ＵＴＲＡＮ間のデータ伝送のために第２階層により提供されるサービスを意味する。即ち、無線ベアラを設定するということは、所定サービスを提供するために必要なプロトコル階層の特性及びチャンネルを規定し、特定パラメータ及び動作方法を設定することを意味する。
【００１８】
各使用者装置は全てインターフェース階層を包含しているが、前記ＵＴＲＡＮにおいて、前記プロトコル階層は、前記ＵＴＲＡＮの複数の構成要素別に分散されている。
【００１９】
図５は、無線接続網の構成要素によるプロトコル階層階位（ｈｉｅｒａｒｃｈｙ）の一例を示したもので、一般に、ＲＬＣ階層は、担当ＲＮＣ内に位置する。ＭＡＣ階層は、伝送チャンネルのタイプによってその機能が分類され、前記担当ＲＮＣまたは制御ＲＮＣ内に位置される。
【００２０】
図示されたように、二つのＲＮＣが同時に担当ＲＮＣ及び制御ＲＮＣとして夫々動作する時、前記ＭＡＣ階層は伝送チャンネルのタイプによってＭＡＣ−ｄ副階層とＭＡＣ−ｃ／ｓｈ副階層とに区分され、担当ＲＮＣ及び制御ＲＮＣ内に夫々位置する。
【００２１】
それとは異なって、一つのＲＮＣが共通に担当ＲＮＣ及び制御ＲＮＣとして動作する時、ＭＡＣ−ｃ／ｓｈ副階層及びＭＡＣ−ｄ副階層は同一ＲＮＣ上に存在するようになる。それはＭＡＣ−ｄ副階層は使用者装置の専用論理チャンネルを管理し、ＭＡＣ−ｃ／ｓｈ副階層は共用伝送チャンネルを管理するからである。前記ＭＡＣ−ｃ／ｓｈ副階層は、セルで全ての使用者装置により共同に使用される共用伝送チャンネルを管理するため、各セルは一つのＭＡＣ−ｃ／ｓｈ副階層を有する。前記ＭＡＣ−ｄ副階層は、使用者装置に専用サービスを提供するから、一つの使用者装置に対して一つのＭＡＣ−ｄ副階層が存在する。また、物理階層はノードＢに位置する。
【００２２】
図６は、前記ＵＴＲＡＮにおけるＲＬＣ階層及びＭＡＣ階層の構造を示した図である。
【００２３】
ダウンリンクの場合、データが上位階層から伝送されると、ＲＬＣ階層はＲＬＣバッファに伝達されたＲＬＣ  ＰＤＵを格納し、ＭＡＣ階層の要求に応じて所定量のＰＤＵを伝送する。そして、ＭＡＣ−ｄ階層で受信された前記ＲＬＣ  ＰＤＵは、チャンネルスイッチングにより専用伝送チャンネル（Ｄｅｄｉｃａｔｅｄ  Ｔｒａｎｓｐｏｒｔ  Ｃｈａｎｎｅｌ、以下、“ＤＴＣＨ”と略称す）または共用伝送チャンネル（Ｃｏｍｍｏｎ  Ｔｒａｎｓｐｏｒｔ  Ｃｈａｎｎｅｌ、以下、“ＣＴＣＨ”と略称す）を介して伝送される。前記ＤＴＣＨを介して伝送される場合は、前記ＭＡＣ−ｄ副階層で関連ヘッダーが付着された後、専用チャンネル（Ｄｅｄｉｃａｔｅｄ  Ｃｈａｎｎｅｌ、以下、“ＤＣＨ”と略称す）を介して物理階層に伝送される。
【００２４】
然し、前記ＲＬＣ  ＰＤＵが前記ＣＴＣＨを介して伝送される場合、前記ＲＬＣ  ＰＤＵはＭＡＣ−ｄ副階層からＭＡＣ−ｃ／ｓｈ副階層に伝送されて関連ヘッダーが付着され、その後、他の論理チャンネルを介して多重化されてページングチャンネル（Ｐａｇｉｎｇ  Ｃｈａｎｎｅｌ、以下、“ＰＣＨ”と略称す）、順方向接続チャンネル（Ｆｏｒｗａｒｄ  Ａｃｃｅｓｓ  Ｃｈａｎｎｅｌ、以下、“ＦＡＣＨ”と略称す）及びダウンリンク共有チャンネル（Ｄｏｗｎｌｉｎｋ
Ｓｈａｒｅｄ  Ｃｈａｎｎｅｌ、以下、“ＤＳＣＨ”と略称す）のような共用伝送チャンネルを介して伝送される。
【００２５】
一方、アップリンクの場合は、データは逆接続チャンネル（Ｒｅｖｅｒｓｅ  Ａｃｃｅｓｓ  Ｃｈａｎｎｅｌ、以下、“Ｒａｃｈ”と略称す）及び共用パケットチャンネル（Ｃｏｍｍｏｎ  Ｐａｃｋｅｔ  Ｃｈａｎｎｅｌ、以下、“ＣＰＣＨ”と略称す）のような専用チャンネル及び共用伝送チャンネルを介して受信されて、上位階層に順次伝送される。この場合、データはダウンリンクと反対の逆経路を経由して前記ＲＬＣ階層に伝送される。
【００２６】
使用者装置にあるＲＬＣ階層及びＭＡＣ階層の構造は、図６に示した構造とほぼ同様であるので、以下、共用伝送チャンネルのＦＡＣＨを利用したデータ伝送に対し、図６を参照して説明する。
【００２７】
ＲＬＣ階層から伝送されたＲＬＣ  ＰＤＵはＭＡＣ−ｃ／ｓｈ副階層のＦＡＣＨを使用するのでチャンネルスイッチング及び制御伝送多重化によりＭＡＣ−ｃ／ｓｈ副階層に伝送され、前記制御伝送多重化は複数個の論理チャンネルの多重化を意味する。
【００２８】
ＭＡＣ−ｃ／ｓｈ副階層に伝送されたデータは、他の論理チャンネルのデータと多重化される。また、多様な使用者装置のデータが共用伝送チャンネル（ＣＴＣＨ）を介して伝送されるので、該当データを受信する使用者装置を示すために、データ多重化のための使用者装置の識別子を挿入することで、目的地使用者装置の識別子をＭＡＣ  ＰＤＵに追加することができる。
【００２９】
ここで、データ多重化のためのＴＣＴＦ（Ｔａｒｇｅｔ  Ｃｈａｎｎｅｌ  Ｔｙｐｅ  Ｆｉｅｌｄ）マッピングは、論理チャンネルと伝送チャンネル間の関係をマッピングし、ＦＡＣＨ伝送チャンネルにマッピングされたデータは使用者装置の優先順位を考慮したデータ伝送スケジュールに基づいてＦＡＣＨに伝送される。
【００３０】
前記ＵＴＲＡＮ、または、使用者装置のＲＬＣ階層から論理チャンネルを介して前記ＭＡＣ階層に伝送されたＲＬＣ  ＰＤＵは、適切な伝送チャンネルを介して物理階層に伝送される。ここで、専用論理チャンネルを通過したデータが共用伝送チャンネルを介して伝送される時、上述したように、該当データはＭＡＣ−ｄ副階層及びＭＡＣ−ｃ／ｓｈ副階層を介して最終的に物理階層に伝送される。この場合、前記ＭＡＣ階層の各副によって添付されるＭＡＣ  ＰＤＵヘッダー情報は、ＴＣＴＦフィールド、使用者装置の識別子タイプフィールド、使用者装置の識別子フィールド及びＣ／Ｔフィールドなどを包含する。
【００３１】
ここで、前記ＴＣＴＦフィールドは、特定伝送チャンネルを介して伝送される論理チャンネルデータのタイプを示し、前記使用者装置の識別子タイプフィールドは、多様なタイプの使用者装置の識別子中どの識別子が使用されるかを示し、前記使用者装置の識別子フィールドは、使用者装置の識別子タイプフィールドに表示された使用者装置の識別情報を包含し、前記Ｃ／Ｔフィールドは、複数の論理チャンネルのデータが一つの伝送チャンネルに伝送される時に各論理チャンネルを区別するための情報を提供する。
【００３２】
図６に示されたＭＡＣ−ｃ／ｓｈ階層において、使用者装置を識別するために使用される使用者装置の識別子は、ネットワークで区別可能な（ｄｉｓｔｉｎｇｕｉｓｈａｂｌｅ）使用者装置の地理的領域（各使用者装置がカバー可能なる範囲）によって二つのタイプに区分することができる。
【００３３】
第一に、使用者装置が新しいセルにリンクされると、制御ＲＮＣによってＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）が割当てられ、従って、Ｃ−ＲＮＴＩはセルで固有（ｕｎｉｑｕｅ）値を有し、セル領域はＣ−ＲＮＴＩの有効領域となる。従って、使用者装置が他のセルに移動すると、前記Ｃ−ＲＮＴＩは変更されるべきである。
【００３４】
第二に、ＵＴＲＡＮで所定使用者装置を識別するためにＵ−ＲＮＴＩ（ＵＴＲＡＮ  Ｒａｄｉｏ  Ｎｅｔｗｏｒｋ  Ｔｅｍｐｏｒａｒｙ）が使用され、前記Ｕ−ＲＮＴＩは、Ｓ−ＲＮＴＩ（ＳＲＮＣ  ＲＮＴＩ）と担当ＲＮＣ識別子とにより構成される。前記Ｓ−ＲＮＴＩは、前記担当ＲＮＣで使用者装置を識別するために使用される識別値で、各使用者装置は前記担当ＲＮＣで固有（単一）Ｓ−ＲＮＴＩ値を有する。また、前記担当ＲＮＣ識別子は、前記ＵＴＲＡＮでＲＮＣを識別するために使用される。従って、前記ＵＴＲＡＮで使用者装置を指定するためには、前記担当ＲＮＣ識別子情報及び該当ＲＮＣにおける使用者装置の識別値が必要である。
【００３５】
よって、前記Ｕ−ＲＮＴＩは前記ＵＴＲＡＮで固有値を有して、使用者装置が前記ＲＮＣから他のセルに移動する場合にも変更されない。ところが、前記担当ＲＮＣの変更により担当ＲＮＣ識別子が変更されると、新しいＵ−ＲＮＴＩが割当てられなければならない。特に、前記Ｕ−ＲＮＴＩの有効範囲は前記担当ＲＮＣにより管理される領域である。
【００３６】
３ＧＰＰの標準に基づくシステムにおいて、使用者装置は二つのタイプの使用者装置の識別子中何れか一つ、即ち、１６ビットで表現されるＣ−ＲＮＴＩまたは３２ビットで表現されるＵ−ＲＮＴＩを利用して識別される。従って、前記Ｃ−ＲＮＴＩが使用される時、制限された無線チャンネル資源を效率的に使用することができる。場合によっては前記Ｕ−ＲＮＴＩ値が使用され、例えば、Ｃ−ＲＮＴＩ値が頻繁に変更される時、前記Ｕ−ＲＮＴＩを利用して使用者装置を效率的に識別することができる。
【発明の開示】
【発明が解決しようとする課題】
【００３７】
然るに、このような３ＧＰＰ標準に基づく従来のシステムにおいては、使用者装置の識別情報は送信側のＭＡＣ階層によってＭＡＣ  ＰＤＵに追加され、前記使用者装置の識別情報は前記ＭＡＣ階層の受信側で識別されるようになっていた。
【００３８】
そのため、前記送信側ＭＡＣ階層はＲＬＣから伝送されたＲＬＣ  ＰＤＵを多重化し、ＭＡＣ  ＰＤＵ（ＲＬＣ  ＰＤＵに該当するデータユニット）に使用者装置の識別情報を追加するが、前記ＭＡＣ階層は、何時、どんな使用者装置の識別子を使用すべきであるかを認識することができず、動的に使用者装置のタイプを変更することができないという不都合な点があった。
【００３９】
本発明は、このような従来の課題に鑑みてなされたもので、ＭＡＣ階層で、何時、どんな使用者装置の識別子を使用すべきであるかを決定するために、他の階層からＭＡＣ階層に使用者装置の識別子（Ｃ−ＲＮＴＩ、Ｕ−ＲＮＴＩ）設定に必要な情報を提供し、該当使用者装置の識別子値を設定するための方法を提供することを目的とする。
【課題を解決するための手段】
【００４０】
本発明の使用者装置の識別子設定方法は、複数のプロトコル階層を有する無線通信システムにおいて、無線資源管理（ＲＲＣ）階層から無線リンク制御（ＲＬＣ）階層にデータ及び使用者装置の識別子指示子に関連するメッセージタイプ指示子を提供する工程と、受信されたメッセージタイプ指示子によって使用者装置の識別子指示子をＲＬＣ階層で設定する工程と、ＭＡＣ階層で、使用者装置の識別子指示子によって使用者装置の識別子タイプ及び使用者装置の識別子を該ＭＡＣ階層のデータユニットのヘッダーに貼付する工程と、を順次行うことを特徴とする。
【００４１】
前記ＭＡＣ階層のデータユニットは、使用者装置の識別子タイプと使用者装置の識別子を有するＭＡＣ  ＳＤＵとにより構成される。
【００４２】
前記ＲＬＣ階層は、前記ＲＲＣ階層から使用者装置の識別子指示子と関連するデータ及びメッセージタイプ指示子を受信し、無線通信システムで使用者装置を管理するためのネットワーク領域に適切な使用者装置を区別する使用者装置の識別子指示子を設定する。
【００４３】
前記ＭＡＣ階層は、ＭＡＣ  ＳＤＵ及びＲＮＴＩ（Ｒａｄｉｏ  Ｎｅｔｗｏｒｋ  Ｔｅｍｐｏｒａｒｙ  Ｉｄｅｎｔｉｆｙ）と関連する使用者装置タイプを示す使用者装置の識別子指示子を受信し、ＭＡＣ  ＰＤＵの一部として使用者装置の識別子タイプ及び使用者装置の識別子を設定する。
【００４４】
前記ＭＡＣ階層は、ＲＮＴＩと関連する使用者装置タイプを示す使用者装置の識別子指示子及びＭＡＣ  ＳＤＵを受信し、ＭＡＣ  ＰＤＵヘッダーの一部として使用者装置の識別子タイプ及び使用者装置の識別子を設定する。
【００４５】
前記使用者装置タイプは、無線ベアラ（Ｒａｄｉｏ  ｂｅａｒｅｒ）を設定する無線資源の決定時に使用され、前記使用者装置の識別子指示子は、ＲＬＣ階層からＭＡＣ階層に伝送される。
【００４６】
前記使用者装置の識別子指示子は、使用者装置のタイプが変更されるとき、前記ＲＲＣ階層の制御情報により動的に更新される。
【００４７】
前記使用者装置タイプは、前記ＲＲＣ階層から前記ＲＬＣ階層に伝送されたデータ（ＲＬＣ  ＳＤＵ）によって変更される。
【００４８】
前記使用者装置は、ＭＡＣ階層で形成されたＲＬＣ  ＰＤＵが相違する使用者装置タイプを有するＲＲＣメッセージを包含する時、使用者装置の識別子により区別される。
【００４９】
前記使用者装置は、前記ＲＬＣ階層がＲＲＣ階層でなく他の階層からデータを受信する時、セルレベルで区別可能な使用者装置の識別子により区別される。
【００５０】
本発明の使用者装置の識別子設定方法は、複数のプロトコル階層を有する無線通信システムにおいて、第３プロトコル階層から下位階層の第２プロトコル階層に使用者装置の識別子タイプ指示子に関連するデータ及びパラメータを提供する工程と、前記第２プロトコル階層から第１プロトコル階層に使用者装置の識別子指示子及びデータを提供する工程と、前記第１プロトコル階層で、使用者装置の識別子指示子によって使用者装置の識別子タイプ及び使用者装置の識別子を該第１プロトコル階層データパケットに貼付する工程と、を順次行うことを特徴とする。
【００５１】
前記第３プロトコル階層は、無線資源制御（Ｒａｄｉｏ  Ｒｅｓｏｕｒｃｅ  Ｃｏｎｔｒｏｌ：ＲＲＣ）階層である。
【００５２】
前記第２プロトコル階層は、無線リンク制御（Ｒａｄｉｏ  Ｌｉｎｋ  Ｃｏｎｔｒｏｌ：ＲＮＣ）階層である。
【００５３】
前記第１プロトコル階層は、媒体接続制御（Ｍｅｄｉｕｍ  Ａｃｃｅｓｓ  Ｃｏｎｔｒｏｌ：ＭＡＣ）階層である。
【００５４】
前記第１プロトコル階層データパケットは、ＭＡＣプロトコルデータユニット（Ｐｒｏｔｏｃｏｌ  Ｄａｔａ  Ｕｎｉｔ：ＰＤＵ）である。
【００５５】
前記ＭＡＣ  ＰＤＵは、ＭＡＣサービスデータユニット（Ｓｅｒｖｉｃｅ  Ｄａｔａ  Ｕｎｉｔ：ＳＤＵ）及び使用者装置の識別子により構成される。
【００５６】
前記使用者装置の識別子指示子は、少なくともＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）及びＵ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｔｙ）中何れか一つに関連する。
【００５７】
前記ＭＡＣ階層は、ＲＮＴＩ（Ｒａｄｉｏ  Ｎｅｔｗｏｒｋ  Ｔｅｍｐｏｒａｒｙ  Ｉｄｅｎｔｉｆｙ）と関連する使用者装置タイプを示す使用者装置の識別子指示子及びＭＡＣ  ＳＤＵを受信し、ＭＡＣ  ＰＤＵの一部として使用者装置の識別子タイプ及び使用者装置の識別子を設定する。
【００５８】
前記使用者装置タイプは、無線ベアラ（Ｒａｄｉｏｂｅａｒｅｒ）を設定する無線資源の決定時に使用され、前記使用者装置の識別子指示子は、前記第２プロトコル階層から前記第１プロトコル階層に伝送される。
【００５９】
前記使用者装置の識別子指示子は、無線通信網で使用される使用者装置タイプが変更される時、前記第３プロトコル階層の制御情報によって動的に更新される。
【００６０】
本発明の無線通信網における使用者装置の識別システムは、複数のプロトコル階層と、ＲＲＣ（Ｒａｄｉｏ  Ｒｅｓｏｕｒｃｅ  Ｃｏｎｔｒｏｌ）階層からＲＬＣ（Ｒａｄｉｏ  Ｌｉｎｋ  Ｃｏｎｔｒｏｌ）階層にデータ及び使用者装置の識別子指示子と関連するメッセージタイプ指示子を提供する手段と、前記ＲＬＣ階層で、前記受信されたメッセージタイプ指示子によって使用者装置の識別子指示子を設定する手段と、ＭＡＣ階層で、使用者装置の識別子指示子によって使用者装置の識別子タイプ及び使用者装置の識別子を該ＭＡＣ階層のデータユニットのヘッダーに貼付する手段と、を包含して構成されることを特徴とする。
【００６１】
前記ＭＡＣ階層のデータユニットは、使用者装置の識別子タイプ及び使用者装置の識別子を有するＭＡＣ  ＳＤＵにより構成される。
【００６２】
前記ＲＬＣ階層は、前記ＲＲＣ階層から使用者装置の識別子指示子と関連するデータ及びメッセージタイプ指示子を受信し、無線通信システムで使用者装置を適切に管理するためのネットワーク領域に適当な使用者装置を区別する使用者装置の識別子指示子を設定する。
【００６３】
前記ＭＡＣ階層は、ＲＮＴＩ（Ｒａｄｉｏ  Ｎｅｔｗｏｒｋ  Ｔｅｍｐｏｒａｒｙ  Ｉｄｅｎｔｉｆｙ）と関連する使用者装置タイプを示す使用者装置の識別子指示子及びＭＡＣ  ＳＤＵを受信し、ＭＡＣ  ＰＤＵの一部として使用者装置の識別子タイプ及び使用者装置の識別子を設定する。
【００６４】
前記ＭＡＣ階層は、ＲＮＴＩと関連する使用者装置タイプを示す使用者装置の識別子指示子及びＭＡＣ  ＳＤＵを受信し、ＭＡＣ  ＰＤＵヘッダーの一部として使用者装置の識別子タイプ及び使用者装置の識別子を設定する。
【００６５】
本発明の無線通信網における使用者装置の識別システムは、複数のプロトコル階層と、第３プロトコル階層から下位階層の第２プロトコル階層にデータ及び、使用者装置の識別子タイプ指示子と関連するデータ及びパラメータを提供する手段と、前記第２プロトコル階層から第１プロトコル階層に使用者装置の識別子指示子及びデータを提供する手段と、前記第１プロトコル階層で、使用者装置の識別子指示子によって使用者装置の識別子タイプ及び使用者装置の識別子を該第１プロトコル階層データパケットに貼付する手段と、を包含して構成されたことを特徴とする。
【００６６】
前記第３プロトコル階層は、無線資源制御（Ｒａｄｉｏ  Ｒｅｓｏｕｒｃｅ  Ｃｏｎｔｒｏｌ：ＲＲＣ）階層、前記第２プロトコル階層は、無線リンク制御（Ｒａｄｉｏ  Ｌｉｎｋ  Ｃｏｎｔｒｏｌ：ＲＬＣ）階層、前記第１プロトコル階層は、媒体接続制御（Ｍｅｄｉｕｍ  Ａｃｃｅｓｓ  Ｃｏｎｔｒｏｌ：ＭＡＣ）階層、である。
【００６７】
前記第１プロトコル階層データパケットは、ＭＡＣプロトコルデータユニット（Ｐｒｏｔｏｃｏｌ  Ｄａｔａ  Ｕｎｉｔ：ＰＤＵ）である。
【００６８】
前記ＭＡＣ  ＰＤＵは、ＭＡＣサービスデータユニット（Ｓｅｒｖｉｃｅ  Ｄａｔａ  Ｕｎｉｔ：ＳＤＵ）及び使用者装置の識別子により構成される。
【００６９】
前記使用者装置の識別子指示子は、少なくともＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）及びＵ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｔｙ）中何れか一つと関連する。
【００７０】
前記ＭＡＣ階層は、ＲＮＴＩ（Ｒａｄｉｏ  Ｎｅｔｗｏｒｋ  Ｔｅｍｐｏｒａｒｙ  Ｉｄｅｎｔｉｆｙ）と関連する使用者装置タイプを示す使用者装置の識別子指示子及びＭＡＣ  ＳＤＵを受信し、ＭＡＣ  ＰＤＵの一部として使用者装置の識別子タイプ及び使用者装置の識別子を設定する。
【００７１】
前記使用者装置タイプは、無線ベアラ（Ｒａｄｉｏ  ｂｅａｒｅｒ）を設定する無線資源の決定時に使用され、前記使用者装置の識別子指示子は、前記第２プロトコル階層から前記第１プロトコル階層に伝送される。
【００７２】
前記使用者装置の識別子指示子は、無線通信網で使用される使用者装置タイプが変更される時、前記第３プロトコル階層の制御情報によって動的に更新される。
【００７３】
このような目的を達成するため、専用論理チャンネルを介して受信されたデータが共用伝送チャンネルを介して伝送される時、ＭＡＣ階層で使用者装置識別子を利用してデータの目的地の使用者装置を区別する必要があり、以下、ＭＡＣ  ＰＤＵヘッダーに追加される使用者装置識別子の設定方法について記述する。
【００７４】
本発明に係る使用者装置の識別子設定方法においては、使用者装置識別情報としてデータ及びメッセージタイプ指示子を無線資源管理（ＲＲＣ）階層から無線リンク制御（ＲＬＣ）階層に伝送する工程と、受信されたメッセージタイプ指示子によって使用者装置の識別子指示子を前記ＲＬＣ階層で設定し、前記データと一緒にＭＡＣ階層に伝送する工程と、ＭＡＣ階層で、使用者装置の識別子指示子によって使用者装置の識別子タイプ及び使用者装置の識別子を選択してＭＡＣ  ＰＤＵのヘッダーに貼付する工程と、添付されたＭＡＣ  ＰＤＵを受信側ＭＡＣ階層に伝送する工程と、を順次行うように構成される。
【００７５】
ここで、前記ＭＡＣ  ＰＤＵはヘッダー及びＭＡＣ  ＳＤＵにより構成され、該ＭＡＣ  ＳＤＵはＲＬＣ  ＰＤＵと基本的に同様である。
【００７６】
また、前記使用者装置の識別子設定方法は、ＭＡＣ階層からＭＡＣ  ＰＤＵフォーマットに無線伝送を行う工程と、使用者装置の識別子フィールドを示す使用者装置の識別子タイプフィールド及び使用者装置の識別子をＭＡＣ  ＰＤＵヘッダーに追加する工程と、該ＭＡＣ  ＰＤＵを受信側に伝送し、受信側で前記ＭＡＣ  ＰＤＵヘッダー情報を利用して使用者装置を区別する工程を追加包含する。
【００７７】
前記ＲＬＣ階層は、前記ＲＲＣ階層から使用者装置の識別情報としてデータ及びメッセージタイプ指示子を受信し、移動通信システムで使用者装置を管理するネットワーク領域に適切な使用者装置を区別するための使用者装置の識別子指示子を設定することを特徴とする。
【００７８】
前記ＭＡＣ階層は、使用者装置の識別子のタイプ（Ｕ−ＲＮＴＩ、Ｃ−ＲＮＴＩ）を示す使用者装置の識別子指示子を受信し、ＭＡＣ  ＰＤＵヘッダー情報として使用者装置の識別子及び使用者装置の識別子タイプフィールドを設定することを特徴とする。
【００７９】
前記使用者装置タイプは無線ベアラ（Ｒａｄｉｏ  ｂｅａｒｅｒ）の設定時に決定され、設定された無線ベアラを使用する伝送セッション（Ｓｅｓｓｉｏｎ）で、使用者装置の識別子指示子は前記ＲＬＣ階層から前記ＭＡＣ階層に伝送されることを特徴とする。
【００８０】
前記使用者装置の識別子指示子は、使用者装置識別子のタイプが変更される時、前記ＲＲＣ階層の制御情報によって更新されることを特徴とする。
【００８１】
前記使用者装置識別子のタイプは、前記ＲＲＣ階層から前記ＲＬＣに伝送されたデータ（ＲＬＣ  ＳＤＵ）のタイプによって設定されることを特徴とする。
【００８２】
複数のプロトコル階層を有する無線通信システムにおいて、本発明に係る使用者装置の識別子設定方法は、第３プロトコル階層から下位階層の第２プロトコル階層に使用者装置識別子タイプ指示子に関連するデータ及びパラメータを提供する工程と、前記第２プロトコル階層から第１プロトコル階層に使用者装置識別子指示子及びデータを提供する工程と、前記第１プロトコル階層で、使用者装置識別子指示子によって使用者装置識別子タイプ及び使用者装置識別子を該第１プロトコル階層データパケットに貼付する工程と、を順次行うように構成されたことを特徴とする。
【００８３】
前記第３プロトコル階層は無線資源制御（ＲＲＣ）階層で、前記第２プロトコル階層は無線リンク制御（ＲＬＣ）階層で、前記第１プロトコル階層は媒体接続制御（ＭＡＣ）階層であることを特徴とする。
【００８４】
前記第１プロトコル階層データパケットはＭＡＣサービスデータユニット（ＳＤＵ）で、ＭＡＣプロトコルデータユニット（ＰＤＵ）はＭＡＣ  ＳＤＵ及び使用者装置識別子により構成されたことを特徴とする。
【００８５】
前記使用者装置識別子指示子は、少なくともＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）及びＵ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｔｙ）中何れか一つに関連され、前記ＭＡＣ階層は、ＲＮＴＩと関連する使用者装置タイプを示す使用者装置識別子指示子及びＭＡＣＳＤＵを受信して、ＭＡＣ  ＰＤＵの一部として使用者装置識別子タイプ及び使用者装置識別子を設定することを特徴とする。
【００８６】
前記使用者装置タイプは無線ベアラ（Ｒａｄｉｏ  ｂｅａｒｅｒ）を設定する無線資源の決定時に使用され、前記使用者装置の識別子指示子は、前記第２プロトコル階層から前記第１プロトコル階層に伝送されることを特徴とする。
【００８７】
そして、前記使用者装置の識別子指示子は、無線通信網で使用される使用者装置タイプが変更する時、前記第３プロトコル階層の制御情報によって動的に更新されることを特徴とする。
【００８８】
本発明に係る無線通信網における使用者装置の識別システムにおいては、複数のプロトコル階層と、ＲＲＣ階層からＲＬＣ階層にデータ及び使用者装置の識別子指示子と関連するメッセージタイプ指示子を提供する手段と、受信されたメッセージタイプ指示子によって使用者装置の識別子指示子をＲＬＣ階層で設定する手段と、使用者装置の識別子指示子及びデータをＭＡＣ階層に提供する手段と、該ＭＡＣ階層で使用者装置の識別子タイプ及び使用者装置識別子をＭＡＣ  ＳＤＵのヘッダーに添加する手段と、を包含して構成されたことを特徴とする。
【００８９】
また、本発明に係る無線通信網における使用者装置識別システムにおいては、第３プロトコル階層から下位階層の第２プロトコル階層に使用者装置の識別子タイプ指示子に関連するデータ及びパラメータを提供する工程と、前記第２プロトコル階層から第１プロトコル階層に使用者装置の識別子指示子及びデータを提供する工程と、前記第１プロトコル階層で、使用者装置の識別子指示子によって使用者装置の識別子タイプ及び使用者装置識別子を前記第１プロトコル階層データパケットに貼付する工程と、を順次行うことを特徴とする。
【発明を実施するための最良の形態】
【００９０】
以下、本発明の実施の形態に対し、図面を用いて説明する。
【００９１】
先ず、各使用者装置の識別子（Ｃ−ＲＮＴＩ、Ｕ−ＲＮＴＩ）に対して説明する。
【００９２】
無線通信網において、Ｃ−ＲＮＴＩ（Ｃｅｌｌ  Ｒａｄｉｏ  Ｎｅｔｗｏｒｋ
Ｔｅｍｐｏｒｙ  Ｉｄｅｎｔｉｔｙ）は、専用論理チャンネルの専用トラフィックチャンネル（Ｄｅｄｉｃａｔｅｄ  Ｔｒａｆｆｉｃ  Ｃｈａｎｎｅｌ、以下、“ＤＴＣＨ”と略称す）または専用制御チャンネル（Ｄｅｄｉｃａｔｅｄ  Ｃｏｎｔｒｏｌ  Ｃｈａｎｎｅｌ、以下、“ＤＣＣＨ”と略称す）のデータが共用伝送チャンネルに伝送される時及び、ＤＳＣＨ（Ｄｏｗｎｌｉｎｋ  Ｓｈａｒｅｄ  Ｃｈａｎｎｅｌ）が共用伝送チャンネルに使用される時に利用される。そして、Ｕ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｔｙ）は、ＤＣＣＨのデータが共用伝送チャンネルに伝送される時に使用される。
【００９３】
従って、使用者装置の識別子は、使用される論理チャンネルのタイプによって変更され、ＭＡＣ階層で設定される。ところが、ＭＡＣ階層はどのタイプの識別子が使用されるべきであるかを認識できないため、上位階層のＲＬＣ階層から識別子値を受けなければならない。即ち、ＲＬＣ階層は、ＲＬＣ  ＰＤＵと一緒に使用者装置の識別子のタイプを示すパラメータ（例えば、Ｃ−ＲＮＴＩを示す“０”またはＵ−ＲＮＴＩを示す“１”）を伝送するべきである。
【００９４】
図７に示したように、パラメータが使用者装置の識別子であると仮定すると、ＲＬＣ階層から伝送されたＲＬＣ  ＰＤＵを含むＭＡＣ  ＰＤＵのヘッダーに、ＭＡＣ階層の使用者装置の識別子タイプフィールド及び使用者装置の識別子指示子が指示する使用者装置の識別子が添加される。
【００９５】
然し、ＲＬＣ階層エンティティ（ｅｎｔｉｔｙ）は使用される使用者装置の識別子のタイプを認識できないため、次の二つの方法を利用して使用者装置の識別子を設定する。
【００９６】
１．静的（Ｓｔａｔｉｃ）設定方法：無線ベアラ（ｂｅａｒｅｒ）の設定時、使用者装置の識別子のタイプ決定
一般に、無線ベアラが設定されると、一つまたは二つの論理チャンネルが所定ＲＬＣ階層エンティティで使用される。即ち、殆どの場合、一つのＲＬＣ階層エンティティには一つのＤＣＨ（ＤＣＣＨまたはＤＴＣＨ）が使用されるが、場合によってはＤＴＣＨ伝送に必要な制御情報を伝送するために一つのＤＣＣＨが追加されることがある。
【００９７】
従って、論理チャンネルタイプが無線ベアラの設定により決定されるため、使用者装置の識別子のタイプ（Ｕ−ＲＮＴＩまたはＣ−ＲＮＴＩ）もやはり無線ベアラが設定される時に決定される。一旦無線ベアラが設定されると、使用者装置の識別子タイプは無線ベアラの設定が変更される時まで継続的に使用される。即ち、ＲＬＣ階層は同一使用者装置の識別子をＭＡＣ階層に報せる。その後、使用者装置の識別子のタイプを変更する必要が発生すると、無線ベアラの設定が変更されて、他のタイプの使用者装置の識別子が使用されるようになる。
【００９８】
２．動的（Ｄｙｎａｍｉｃ）設定方法：伝送メッセージのタイプによって使用者装置の識別子のタイプ決定
前記静的設定方法は簡単に具現することができるが、所定無線ベアラは同一タイプの使用者装置の識別子を使用する。例えば、無線ベアラがＵ−ＲＮＴＩ（３２ビット使用）を使用するように設定された場合は、Ｃ−ＲＮＴＩ（１６ビット使用）を使用するように設定された場合よりも無駄に資源を浪費するようになる。
【００９９】
よって、本発明ではＵ−ＲＮＴＩ情報とＣ−ＲＮＴＩ情報とを使用する場合を区別して、該当情報の伝送時にＭＡＣ階層で使用されるべき使用者装置の識別子のタイプを示すと同時にＲＬＣ階層に報せる方法を使用する。
【０１００】
上述したように、論理チャンネルとしてＤＴＣＨが使用される時はＣ−ＲＮＴＩだけが使用されるため、本発明の実施例に係る動的使用者装置識別方法はＤＣＣＨに関連して説明する。
【０１０１】
一般に、ＤＣＣＨは、ＲＲＣ（Ｒａｄｉｏ  Ｒｅｓｏｕｒｃｅ  Ｃｏｎｔｒｏｌ）階層から伝送された制御情報を伝送するための制御チャンネルであって、ＲＲＣメッセージは、呼びの設定、維持及び解除機能に関連した情報を包含する。
【０１０２】
ＲＲＣ階層は、使用者装置が一つのセル（またはノード）から他のセル（または他のノード）に移動する間、呼び接続が断絶しないように支援する機能を行う。若し、Ｃ−ＲＮＴＩ値が変更される場合は、使用者装置の識別子情報としてＵ−ＲＮＴＩを利用することが妥当である。ところが、殆どの場合Ｃ−ＲＮＴＩにより使用者装置を識別することができるため、選択的に使用者装置の識別子を選択すると、資源浪費を最小化することができる。
【０１０３】
また、ＲＲＣメッセージが伝送される時、ＲＲＣ階層だけがどんな使用者装置の識別子タイプ（Ｃ−ＲＮＴＩまたはＵ−ＲＮＴＩ）が必要であるかを認識しているため、ＲＲＣ階層はＲＣＬ階層に関連パラメータを伝送しなければならない。
【０１０４】
前記パラメータは“メッセージタイプ指示子”と呼ばれる。例えば、ＲＲＣ階層から伝送されるメッセージがＵ−ＲＮＴＩを必要とする場合、先ず、ＲＲＣ階層はＵ−ＴＮＴＩを示すメッセージタイプ指示子と一緒にＲＬＣ  ＳＤＵを伝送し、次いでＲＬＣ階層はメッセージに応じて使用者装置の識別子指示子を設定した後、ＲＬＣ  ＰＤＵと一緒にＭＡＣ階層に伝送する。
【０１０５】
一方、ＲＲＣ階層から伝送されるメッセージがＣ−ＲＮＴＩを必要とする場合、ＲＲＣ階層は、Ｃ−ＴＮＴＩを示すメッセージタイプ指示子を有するＲＬＣ  ＳＤＵを伝送した後、メッセージによって使用者装置の識別子指示子を設定し、ＭＡＣ  ＰＤＵ（＝ＲＬＣ  ＰＤＵ）と一緒にＭＡＣ階層に伝送する。
【０１０６】
図２は、本発明の実施例に係る使用者装置の識別子タイプの動的設定方法を示したフローチャートで、図示されたように、無線ベアラを設定する時、ＲＲＣ階層は、使用される使用者装置の識別子を設定した後、設定された指示子をＭＡＣ
ＳＤＵと一緒にＭＡＣ階層に伝送することで、使用者装置の識別子タイプフィールド及び使用者装置の識別子フィールドを設定する（工程７１〜７３）。
【０１０７】
若し、再設定が必要な場合は、前記工程（７３、７１）に示されたように、無線ベアラの設定を変更することで使用者装置の識別子タイプを変更させる。
【０１０８】
図１は、本発明の実施例に係る使用者装置の識別子タイプの静的設定を示したフローチャートである。
【０１０９】
即ち、本発明は、無線接続網における使用者装置の識別子タイプの動的決定方法について記述する。
【０１１０】
先ず、ＲＬＣ階層は、ＲＲＣ階層からＲＬＣ  ＳＤＵ及びメッセージタイプ指示子を受信する（工程６１）。
【０１１１】
次いで、ＲＬＣ階層は、受信されたメッセージタイプ指示子を確認し、ＭＡＣ
ＳＤＵの伝送に使用されるＵ−ＲＮＴＩまたはＣ−ＲＮＴＩを判断して使用者装置の識別子指示子を設定した後、設定された使用者装置の識別子指示子をＭＡＣ  ＳＤＵと一緒にＭＡＣ階層に伝送する（工程６２〜６５）。
【０１１２】
一方、前記工程（６２〜６４）で、ＲＬＣ階層は、ＲＬＣ  ＳＤＵを分割及び再組立する。従って、２個以上のメッセージが一つのＲＬＣ  ＰＤＵを形成することが可能で、また、複数のＲＬＣ  ＰＤＵが一つのメッセージを形成することもできる。特に、複数のメッセージが一つのＲＬＣ  ＰＤＵを形成する時、各メッセージに使用される使用者装置の識別子指示子のタイプは相違することもできる（例えば、１番目のメッセージはＵ−ＲＮＴＩに、２番目のメッセージはＣ−ＲＮＴに関連することもできる）。この場合、ＭＡＣ  ＰＤＵのヘッダーを形成するために、より広い概念の識別子であるＵ−ＲＮＴＩだけを利用して使用者装置の識別子指示子が設定される。
【０１１３】
また、一つのＲＬＣ  ＳＤＵに少なくとも二つのタイプのＲＬＣ  ＳＤＵのデータが包含され、ＳＤＵに同一タイプの使用者装置の識別子指示子が使用される時、前記同一使用者装置の識別子指示子はＭＡＣ  ＳＤＵ（＝ＲＬＣ  ＰＤＵ）と一緒にＭＡＣ階層に伝送される。
【０１１４】
そして、メッセージタイプ指示子と使用者装置の識別子指示子とは同様のものと見なされるが、ＲＬＣ  ＳＤＵの分割及び再組立はＲＬＣ階層で行われるので、ＲＬＣ  ＰＤＵの使用者装置の識別子指示子は前記メッセージタイプ指示子に基づいて設定される。
【０１１５】
使用者装置識別情報としてデータ及びメッセージタイプ指示子を無線資源管理（ＲＲＣ）階層から無線リンク制御（ＲＬＣ）階層に伝送する工程と、前記ＲＬＣ階層で受信されたメッセージタイプ指示子によって使用者装置の識別子指示子を前記ＲＬＣ階層で設定し、前記データと一緒にＭＡＣ階層に伝送する工程と、ＭＡＣ階層で、使用者装置の識別子指示子によって使用者装置の識別子タイプ及び使用者装置の識別子を選択してＭＡＣ  ＰＤＵのヘッダーに貼付する工程と、添付されたＭＡＣ  ＰＤＵを受信側ＭＡＣ階層に伝送する工程と、を順次行って無線通信システムにおける使用者装置の識別子設定方法を構成する。
【０１１６】
（発明の効果）
以上説明したように、本発明に係る無線通信システムにおける使用者装置の識別子設定方法においては、ＲＲＣ階層は使用者装置識別情報としてデータ（ＲＬＣ  ＳＤＵ）及びメッセージタイプ指示子をＲＬＣ階層に伝送し、該ＲＬＣ階層は、伝送されたメッセージタイプ指示子によって使用者装置の識別子指示子を設定した後、データと一緒にＭＡＣ階層に伝送するため、ＭＡＣ階層は適切な使用者装置識別情報を追加することができるという効果がある。
【０１１７】
且つ、専用論理チャンネルを介して送信または受信されたデータを共用伝送チャンネルを介して伝送され、使用者装置の識別子を利用して使用者装置を区別する必要がある時、本発明は一括的に一つのタイプの使用者装置の識別子を設定せず、必要に応じて適切な使用者装置の識別子を設定することで、無線資源の浪費を最小化し得るという効果がある。
【図面の簡単な説明】
【０１１８】
【図１】本発明に係る使用者装置の識別子指示子の静的（ｓｔａｔｉｃ）設定過程を示したフローチャートである。
【図２】本発明に係る使用者装置の識別子指示子の動的（ｄｙｎａｍｉｃ）設定過程を示したフローチャートである。
【図３】従来及び本発明に適用される第３世代共同プロジェクト（３ＧＰＰ）無線接続網規格に基づいたＵＴＲＡＮ（Ｕｎｉｖｅｒｓａｌ  Ｍｏｂｉｌｅ  Ｔｅｌｅｃｏｍｍｕｎｉｃａｔｉｏｎ  Ｎｅｔｗｏｒｋ  Ｔｅｒｒｅｓｔｒｉａｌ）を示した図である。
【図４】３ＧＰＰが勧告する無線接続網規格に基づく一般無線インターフェースプロトコルの構造を示した図である。
【図５】無線接続網の構成要素別に組織されたプロトコル階層の一例を示した図である。
【図６】ＵＴＲＡＮ側のＲＬＣ（Ｒａｄｉｏ  Ｌｉｎｋ  Ｃｏｎｔｒｏｌ）階層及びＭＡＣ（Ｍｅｄｉｕｍ  Ａｃｃｅｓｓ  Ｃｏｎｔｒｏｌ）階層の構造を示した図である。
【図７】ＭＡＣ  ＰＤＵ（Ｐｒｏｔｏｃｏｌ  Ｄａｔａ  Ｕｎｉｔ）を示した図である。
【符号の説明】
【０１１９】
ＲＲＣ    Ｒａｄｉｏ  Ｒｅｓｏｕｒｃｅ  Ｃｏｎｔｒｏｌ
ＲＬＣ    Ｒａｄｉｏ  Ｌｉｎｋ  Ｃｏｎｔｒｏｌ
ＭＡＣ    Ｍｅｄｉｕｍ  Ａｃｃｅｓｓ  Ｃｏｎｔｒｏｌ
ＰＤＵ    Ｐｒｏｔｏｃｏｌ  Ｄａｔａ  Ｕｎｉｔ
ＳＤＵ    Ｓｅｒｖｉｃｅ  Ｄａｔａ  Ｕｎｉｔ
Ｃ−ＲＮＴＩ  Ｃｅｌｌ  Ｒａｄｉｏ  Ｎｅｔｗｏｒｋ  Ｔｅｍｐｏｒａｒｙ
Ｉｄｅｎｔｉｔｙ
Ｕ−ＲＮＴＩ  ＵＴＲＡＮ  Ｒａｄｉｏ  Ｎｅｔｗｏｒｋ  Ｔｅｍｐｏｒａｒｙ  Ｉｄｅｎｔｉｔｙ
ＤＴＣＨ  Ｄｅｄｉｃａｔｅｄ  Ｔｒａｆｆｉｃ  Ｃｈａｎｎｅｌ
ＤＳＣＨ  Ｄｏｗｎｌｉｎｋ  Ｓｈａｒｅｄ  Ｃｈａｎｎｅｌ
【図１】
2008312241.tif 000003
【図２】
2008312241.tif 000004
【図３】
2008312241.tif 000005
【図４】
2008312241.tif 000006
【図５】
2008312241.tif 000007
【図６】
2008312241.tif 000008
【図７】
2008312241.tif 000009